(57)【要約】【課題】人物の顔のディテールが適度に抑えられ、適度なメリハリのついた証明写真として好ましい画像を提供することである。【解決手段】本発明に係る画像処理装置１によれば、撮影により得られた画像データにコントラスト特性変換処理を施して、画像の中低明度領域（３５≦Ｌ＊≦５０）において入力における明度Ｌ＊の変化量に対する出力における明度Ｌ＊の変化量が０．９〜２．５倍、かつ、画像の中高明度領域（６５≦Ｌ＊≦８０）において入力における明度Ｌ＊の変化量に対する出力における明度Ｌ＊の変化量が０．２〜０．９倍となるように変換する。【選択図】図４
2006109313.tif 000002
【特許請求の範囲】
【請求項１】
入力画像のコントラスト特性を変換して出力するコントラスト特性変換手段を備えた画像処理装置において、
前記コントラスト特性変換手段は、Ｌ＊ａ＊ｂ＊表色系で入力画像の明度範囲が３５≦Ｌ＊≦５０である中低明度領域において、入力における明度Ｌ＊の変化量に対する出力における明度Ｌ＊の変化量が０．９〜２．５倍となるように、かつ、入力画像の明度範囲が６５≦Ｌ＊≦８０の中高明度領域において、入力における明度Ｌ＊の変化量に対する出力における明度Ｌ＊の変化量が０．２〜０．９倍となるようにコントラスト特性を変換することを特徴とする画像処理装置。
【請求項２】
前記コントラスト特性変換手段は、入力画像の明度範囲が３５≦Ｌ＊≦５０である中低明度領域において、入力における明度Ｌ＊の変化量に対する出力における明度Ｌ＊の変化量が１．２〜２．１倍となるように、かつ、明度範囲が６５≦Ｌ＊≦８０である中高明度領域において、入力における明度Ｌ＊の変化量に対する出力における明度Ｌ＊の変化量が０．３〜０．８倍となるようにコントラスト特性を変換することを特徴とする請求項１に記載の画像処理装置。
【請求項３】
前記コントラスト特性変換手段は、入力画像の明度範囲が６５≦Ｌ＊≦８０である中高明度領域において出力Ｌ＊値＞入力Ｌ＊値となるように変換することを特徴とする請求項１又は２に記載の画像処理装置。
【請求項４】
前記コントラスト特性変換手段は、入力画像の肌色の色域に対して前記コントラスト特性変換を行うことを特徴とする請求項１〜３の何れか一項に記載の画像処理装置。
【請求項５】
入力画像のコントラスト特性を変換して出力する画像処理方法において、
Ｌ＊ａ＊ｂ＊表色系で入力画像の明度範囲が３５≦Ｌ＊≦５０である中低明度領域において、入力における明度Ｌ＊の変化量に対する出力における明度Ｌ＊の変化量が０．９〜２．５倍となるように、かつ、入力画像の明度範囲が６５≦Ｌ＊≦８０の中高明度領域において、入力における明度Ｌ＊の変化量に対する出力における明度Ｌ＊の変化量が０．２〜０．９倍となるようにコントラスト特性を変換することを特徴とする画像処理方法。
【請求項６】
入力画像の明度範囲が３５≦Ｌ＊≦５０である中低明度領域において、入力における明度Ｌ＊の変化量に対する出力における明度Ｌ＊の変化量が１．２〜２．１倍となるように、かつ、明度範囲が６５≦Ｌ＊≦８０である中高明度領域において、入力における明度Ｌ＊の変化量に対する出力における明度Ｌ＊の変化量が０．３〜０．８倍となるようにコントラスト特性を変換することを特徴とする請求項５に記載の画像処理方法。
【請求項７】
入力画像の明度範囲が６５≦Ｌ＊≦８０である中高明度領域において出力Ｌ＊値＞入力Ｌ＊値となるように変換することを特徴とする請求項５又は６に記載の画像処理方法。
【請求項８】
入力画像の肌色の色域に対して前記コントラスト特性変換を行うことを特徴とする請求項５〜７の何れか一項に記載の画像処理方法。
【発明の詳細な説明】
【技術分野】
【０００１】
本発明は、入力画像に画像処理を施して出力する画像処理装置及び画像処理方法に関する。
【背景技術】
【０００２】
従来、デジタルカメラ、画像読取装置等の画像入力装置により取り込まれたデジタル画像データに各種画像処理を施してモニタやプリンタから出力する装置、システムが知られている（例えば、特許文献１参照）。
【特許文献１】特開平９−１３０６０９号公報
【発明の開示】
【発明が解決しようとする課題】
【０００３】
ところで、証明写真は、公的な目的に利用されることを想定するため、被写体の色に忠実な色再現を行っているが、証明写真ボックスによる証明写真の画像は、一般のスナップ写真等と異なり、被写体距離、配光、光量・照度等が適正に管理された条件の下に、設定を最適化したカメラによって、固定された背景の前で撮影を行った画像であるため、固定の色変換テーブルで被写体に忠実な色再現画像処理を施すことができる。
【０００４】
しかしながら、被写体をあまりに忠実に再現すると、ディテールがはっきり出すぎて画像上の視覚情報が多すぎて証明写真としてはかえって不適切な写真になる場合がある。また、被写体の階調情報を忠実に再現しようとしてダイナミックレンジを広くとると濃度域によってはコントラストが不足して、眠たい画像、メリハリのない画像になる場合がある。逆に、メリハリをつけようとしてコントラストを高くすると、照明としてストロボを用いていることも影響して、高い明度領域で色が飛んでしまったり、つぶれてしまったりする場合がある。
【０００５】
上述の特許文献１においては、画像信号の最高輝度と最低輝度に基づいてダイナミックレンジ圧縮率を変更し、明るすぎる部分及び暗すぎる部分がつぶれることなくプリントできるようにしているが、証明写真の被写体の顔画像を適正に処理するものではない。
【０００６】
本発明の課題は、人物の顔のディテールが適度に抑えられ、適度なメリハリのついた証明写真として好ましい画像を提供することである。
【課題を解決するための手段】
【０００７】
上記課題を解決するため、請求項１に記載の発明は、
入力画像のコントラスト特性を変換して出力するコントラスト特性変換手段を備えた画像処理装置において、
前記コントラスト特性変換手段は、Ｌ＊ａ＊ｂ＊表色系で入力画像の明度範囲が３５≦Ｌ＊≦５０である中低明度領域において、入力における明度Ｌ＊の変化量に対する出力における明度Ｌ＊の変化量が０．９〜２．５倍となるように、かつ、入力画像の明度範囲が６５≦Ｌ＊≦８０の中高明度領域において、入力における明度Ｌ＊の変化量に対する出力における明度Ｌ＊の変化量が０．２〜０．９倍となるようにコントラスト特性を変換することを特徴としている。
【０００８】
請求項２に記載の発明は、請求項１に記載の発明において、
前記コントラスト特性変換手段は、入力画像の明度範囲が３５≦Ｌ＊≦５０である中低明度領域において、入力における明度Ｌ＊の変化量に対する出力における明度Ｌ＊の変化量が１．２〜２．１倍となるように、かつ、明度範囲が６５≦Ｌ＊≦８０である中高明度領域において、入力における明度Ｌ＊の変化量に対する出力における明度Ｌ＊の変化量が０．３〜０．８倍となるようにコントラスト特性を変換することを特徴としている。
【０００９】
請求項３に記載の発明は、請求項１又は２に記載の発明において、
前記コントラスト特性変換手段は、入力画像の明度範囲が６５≦Ｌ＊≦８０である中高明度領域において出力Ｌ＊値＞入力Ｌ＊値となるように変換することを特徴としている。
【００１０】
請求項４に記載の発明は、請求項１〜３の何れか一項に記載の発明において、
前記コントラスト特性変換手段は、入力画像の肌色の色域に対して前記コントラスト特性変換を行うことを特徴としている。
【００１１】
請求項５に記載の発明は、
入力画像のコントラスト特性を変換して出力する画像処理方法において、
Ｌ＊ａ＊ｂ＊表色系で入力画像の明度範囲が３５≦Ｌ＊≦５０である中低明度領域において、入力における明度Ｌ＊の変化量に対する出力における明度Ｌ＊の変化量が０．９〜２．５倍となるように、かつ、入力画像の明度範囲が６５≦Ｌ＊≦８０の中高明度領域において、入力における明度Ｌ＊の変化量に対する出力における明度Ｌ＊の変化量が０．２〜０．９倍となるようにコントラスト特性を変換することを特徴としている。
【００１２】
請求項６に記載の発明は、請求項５に記載の発明において、
入力画像の明度範囲が３５≦Ｌ＊≦５０である中低明度領域において、入力における明度Ｌ＊の変化量に対する出力における明度Ｌ＊の変化量が１．２〜２．１倍となるように、かつ、明度範囲が６５≦Ｌ＊≦８０である中高明度領域において、入力における明度Ｌ＊の変化量に対する出力における明度Ｌ＊の変化量が０．３〜０．８倍となるようにコントラスト特性を変換することを特徴としている。
【００１３】
請求項７に記載の発明は、請求項５又は６に記載の発明において、
入力画像の明度範囲が６５≦Ｌ＊≦８０である中高明度領域において出力Ｌ＊値＞入力Ｌ＊値となるように変換することを特徴としている。
【００１４】
請求項８に記載の発明は、請求項５〜７の何れか一項に記載の発明において、
入力画像の肌色の色域に対して前記コントラスト特性変換を行うことを特徴としている。
【発明の効果】
【００１５】
請求項１、５に記載の発明によれば、Ｌ＊ａ＊ｂ＊表色系で入力画像の明度範囲が３５≦Ｌ＊≦５０である中低明度領域において、入力における明度Ｌ＊の変化量に対する出力における明度Ｌ＊の変化量が０．９〜２．５倍となるように、かつ、入力画像の明度範囲が６５≦Ｌ＊≦８０の中高明度領域において、入力における明度Ｌ＊の変化量に対する出力における明度Ｌ＊の変化量が０．２〜０．９倍となるようにコントラスト特性を変換する。従って、証明写真に対して適用することにより、中低明度領域で画像を忠実に再現しすぎてディテールがはっきり出すぎるといったことがなくなり、ディテールが適度に抑えられ、適正なメリハリのついた、ハイライト部分のとびや色のつぶれのない、好ましい画像を提供することができる。
【００１６】
請求項２、６に記載の発明によれば、入力画像の明度範囲が３５≦Ｌ＊≦５０である中低明度領域において、入力における明度Ｌ＊の変化量に対する出力における明度Ｌ＊の変化量が１．２〜２．１倍となるように、かつ、明度範囲が６５≦Ｌ＊≦８０である中高明度領域において、入力における明度Ｌ＊の変化量に対する出力における明度Ｌ＊の変化量が０．３〜０．８倍となるようにコントラスト特性を変換する。従って、証明写真に対して適用することにより、更に適正なメリハリのついた、ハイライト部分のつぶれのない、好ましい画像を提供することができる。
【００１７】
請求項３、７に記載の発明によれば、入力画像の明度範囲が６５≦Ｌ＊≦８０である中高明度領域において出力Ｌ＊値＞入力Ｌ＊値となるように変換するので、中低明度領域でコントラストを大きくしてメリハリをもたせ、かつ十分なダイナミックレンジを確保することができる。
【００１８】
請求項４、８に記載の発明によれば、入力画像の肌色の色域に対して、中低明度領域で画像を忠実に再現しすぎてディテールがはっきり出すぎるといったことがなくなり、ディテールが適度に抑えられ、適正なメリハリのついた、ハイライト部分のとびや色のつぶれのない、好ましい顔画像を提供することができる。
【発明を実施するための最良の形態】
【００１９】
以下、図を参照して本発明の実施の形態を詳細に説明する。
本実施の形態では、本発明に係る画像処理装置を証明写真ボックスに適用した場合を例にとり説明する。ただし、発明の範囲は、図示例に限定されない。
【００２０】
まず、構成を説明する。
図１に、本実施の形態における画像処理装置１の外観図を示す。
図１に示すように、画像処理装置１は、ボックス型に形成されており、その外壁には撮影された証明写真を取り出す取出口１７ａが設置されている。ボックス内部（以下、撮影室という）には、被写体Ｍ用の椅子Ｃが昇降可能に設置されており、被写体Ｍの正面には操作手順やその他撮影に関するガイド映像等を表示する表示装置１５、操作指示を入力するための入力装置１４、被写体Ｍが撮影室内に入室したことを検知するための検知センサ１３、撮影料金を精算するためのキャッシャー２３が設置されている。また、撮影室の内壁には、被写体Ｍの上方、正面、背面、下方にそれぞれ照明用のストロボ２４ａ〜２４ｆが設置されている。
【００２１】
図２に、画像処理装置１の内部構成例を示す。
図２に示すように、画像処理装置１は、制御部１１、カメラ１２、検知センサ１３、入力装置１４、表示装置１５、記憶部１６、プリンタ１７、Ｉ／Ｏ（Input/Output）ユニット２１、スピーカ２２、キャッシャー２３、ストロボユニット２４を備えて構成されている。
【００２２】
以下、画像処理装置１の各部について説明する。
制御部１１は、ＣＰＵ（Central Processing Unit）、ＲＡＭ（Random Access Memory）から構成され、記憶部１６に格納されているシステムプログラムや本発明に係る顔画像撮影処理プログラム、画像処理プログラム等の各種プログラムを読み出してＲＡＭに展開し、当該プログラムに従って各部の動作を集中制御する。
【００２３】
カメラ１２は、光学レンズ、ＣＣＤ（Charge Coupled Device）等の光学センサ、Ａ／
Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００２４】
検知センサ１３は、画像処理装置１の撮影室内に利用者が入室したことを検知する光学センサ等であり、その検知信号を制御部１１に出力する。
【００２５】
入力装置１４は、表示装置１５と一体に構成されるタッチパネルや、写真種類を選択するための写真種選択スイッチ（以下、ＳＷ：Switchという）、撮影開始を指示するための撮影ＳＷ、撮影画像のプリント出力を指示するためのプリントＳＷ等の各種機能キーを備えて構成され、操作されたキーに対応する操作信号を制御部１１に出力する。
【００２６】
表示装置１５は、ＬＣＤ（Liquid Crystal Display）等を備えて構成され、制御部１１からの制御信号に従って、撮影手順を説明するガイド画面、写真種類を選択するための選択画面等の各種操作画面や、カメラ１２により撮影された被写体Ｍの顔画像等を表示する。
【００２７】
記憶部１６は、システムプログラムの他、顔画像撮影処理プログラム、画像処理プログラム等の各種処理プログラム及び各プログラムで処理されたデータ等を記憶する。
【００２８】
本実施の形態において、記憶部１６は、三次元ルックアップテーブル（３Ｄ−ＬＵＴ）１６１（詳細後述）を記憶している。
【００２９】
プリンタ１７は、制御部１１から入力された画像データに基づいてプリント出力を行う。プリンタ１７のプリント方式としては、色材を昇華、転移させて画像を形成する昇華型転写方式が適用されていることとして説明するが、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３０】
Ｉ／Ｏユニット２１は、制御部１１と、スピーカ２２、キャッシャー２３、ストロボ２４ａ〜２４ｆとの間で情報のやり取りを仲介するインターフェイスであり、制御部１１からの制御信号をスピーカ２２、キャッシャー２３、ストロボ２４ａ〜２４ｆに送信するとともに、スピーカ２２、キャッシャー２３、ストロボ２４ａ〜２４ｆからのステータス信号等を制御部１１に出力する。
【００３１】
スピーカ２２は、Ｉ／Ｏユニット２１を介して制御部１１から入力されるガイド用アナウンスの音声信号を出力する。
【００３２】
キャッシャー２３は、硬貨や紙幣の入金口、釣銭の返金口等を備えた金銭登録機である。キャッシャー２３は、入金口から入金された金額を検出して釣銭の金額を算出し、算出された釣銭金額分の硬貨又は紙幣を返金口に排出して料金精算を行う。
【００３３】
ストロボユニット２４は、ストロボ２４ａ〜２４ｆを備え、制御部１１から指示された発光タイミング、発光量で発光を行う。図１に示すように、ストロボ２４ａは撮影室の天井に、ストロボ２４ｂは被写体Ｍの正面に、ストロボ２４ｃは被写体Ｍの前面（正面上方）に、ストロボ２４ｄは被写体Ｍの背面に、ストロボ２４ｅは被写体Ｍの右下方に、ストロボ２４ｆは被写体Ｍの左下方に設置されている。
【００３４】
次に、本実施形態における画像処理装置１の動作について説明する。
図３は、制御部１１により実行される顔画像撮影処理を説明するフローチャートである。本処理は、制御部１１のＣＰＵと記憶部１６に記憶されている顔画像撮影処理プログラムとの協働によるソフトウエア処理により実現される処理である。
【００３５】
検知センサ１３による利用者の検出が待機され、検知センサ１３により利用者が検出されると（ステップＳ１；ＹＥＳ）、表示装置１５上にガイド画面が表示される（ステップＳ２）。同時にスピーカ２２から撮影ガイドに係るアナウンス音声が出力される。
【００３６】
次いで、キャッシャー２３への料金の投入が待機され、料金が投入されると（ステップＳ３；ＹＥＳ）、キャッシャー２３において入金された金額のチェックが行われ（ステップＳ４）、表示装置１５上に写真種類を選択するための選択画面が表示される。そして、この選択画面において所望の写真種類（パスポート用、履歴書用等）に応じた写真種選択ＳＷが押下されると（ステップＳ５；ＹＥＳ）、キャッシャー２３において選択された写真種に応じた料金の精算が行われ、釣銭が返金口に排出される（ステップＳ６）。
【００３７】
料金精算が行われると、表示装置１５上には撮影ガイド画面が表示され、所望のタイミングで撮影ＳＷを押下するようガイダンスが行われる。そして、撮影ＳＷが押下されると（ステップＳ７；ＹＥＳ）、カメラ１２及びストロボユニット２４が制御され、被写体Ｍの顔画像の撮影が行われる（ステップＳ８）。
【００３８】
撮影後、記憶部１６に記憶されている画像処理プログラムが読み出され、撮影によりカメラ１２から入力された画像データに画像処理が施される（ステップＳ９）。
【００３９】
画像処理が終了すると、画像処理済みの画像データがプリンタ１７に出力され、プリンタ１７により証明写真のプリント出力が行われる（ステップＳ１０）。証明写真プリントが取出口１７ａに排出されると（ステップＳ１１）と、本処理は終了する。
【００４０】
次に、図３のステップＳ９で実施される画像処理について説明する。
ステップＳ９においては、カメラ１２から入力されたＲ、Ｇ、Ｂの各画像データにグレーバランス調整処理、空間フィルタ処理、拡大／縮小処理、３Ｄ−ＬＵＴ１６１によるコントラスト特性変換処理等が施される。
【００４１】
３Ｄ−ＬＵＴ１６１は、変換前のＲ、Ｇ、Ｂ値の組み合わせに対応する変換後のＲ、Ｇ、Ｂ値の組み合わせを記憶した色変換ルックアップテーブルであり、制御部１１は、コントラスト特性変換処理において、３Ｄ−ＬＵＴ１６１から変換前の画像データのＲ、Ｇ、Ｂ値に対応する変換後のＲ、Ｇ、Ｂ値の組み合わせを読み出してカメラ１２から入力された画像データを変換することにより、撮影によりカメラ１２から入力された画像データのコントラスト特性を好ましいコントラスト特性に変換する。
【００４２】
図４のＬ１は、３Ｄ−ＬＵＴ１６１による変換前（入力）の明度（ＣＩＥ（国際照明委員会）で定められたＬ＊ａ＊ｂ＊表色系におけるＬ＊値）と変換後（出力）の明度との関係を示すものであり、Ｌ０は、入力画像に忠実に明度を再現した場合の入力と出力の関係を示す。図４に示すように、３Ｄ−ＬＵＴ１６１により変換を行うことにより、入力画像を忠実に再現した場合に比べ、中低明度領域（３５≦Ｌ＊≦５０を中低明度領域と定義する）のコントラストを大きくし（立て）、中高明度領域（６５≦Ｌ＊≦８０を中高明度領域と定義する）のコントラストの勾配を小さくする（寝かせる）ようにコントラスト特性を変換する。
【００４３】
具体的には、コントラスト特性変換処理により、
入力画像の中低明度領域（３５≦Ｌ＊≦５０）において、入力における明度Ｌ＊の変化量に対する出力における明度Ｌ＊の変化量（ΔＬ＊と定義する）が０．９〜２．５倍、かつ、
入力画像の中高明度領域（６５≦Ｌ＊≦８０）において、ΔＬ＊が０．２〜０．９倍
となるように変換する。
より好ましくは、
入力画像の中低明度領域（３５≦Ｌ＊≦５０）において、ΔＬ＊が１．２〜２．１倍、かつ、
入力画像の中高明度領域（６５≦Ｌ＊≦８０）において、ΔＬ＊が０．３〜０．８倍
となるように変換する。
また、入力画像の中高明度領域（６５≦Ｌ＊≦８０）において、出力Ｌ＊値＞入力Ｌ＊値となるように変換する。
【００４４】
上述のコントラスト特性変換処理により、証明写真の顔画像（肌色領域）の中低明度領域で、画像を忠実に再現しすぎてディテールがはっきり出すぎるといったことがなくなり、ディテールが適度に抑えられ、適正なメリハリのついた、証明写真として好ましい画像とすることができる。また、顔画像のハイライト部分の色とびや色のつぶれのない画像を提供することができる。
また、中高明度領域を出力Ｌ＊値＞入力Ｌ＊値にすることで、出力画像において、中低明度領域でコントラストを大きくしてメリハリをもたせ、且つ十分なダイナミックレンジを確保することができる。更に、中高明度部分を明るく表現し、印象のよい顔画像とすることができる。
【００４５】
図５は、画像処理開発に従事する研究員５名（評価者Ａ〜Ｅ）の証明写真の実写画像の目視評価結果を示すものである。評価は３段階評価により行い、○：きわめて良い、△：普通、まあまあ、×：悪い、とした。
評価対象の証明写真は、証明写真ボックスにおいて、人物の顔画像の撮影を行い、得られた画像データに図５の１〜５の各コントラスト特性となるようにコントラスト特性変換を行った後、色材を昇華、転移させて画像を形成する昇華型転写方式のプリンタで出力した。  
【００４６】
図５に示すように、
（１）３５≦Ｌ＊≦５０においてΔＬ＊が１．２〜２．１倍、かつ、６５≦Ｌ＊≦８０においてΔＬ＊が０．３〜０．８倍である場合（図５の４の条件）、評価者４人が「○」、一人が「△」と評価しており、好ましい写真が得られることが検証できた。
（２）３５≦Ｌ＊≦５０においてΔＬ＊が０．９〜２．５倍、かつ、６５≦Ｌ＊≦８０においてΔＬ＊が０．２〜０．９倍である場合（図５の３、５の条件）について、一人が「×」という結果をだしたが、「○」とする評価者も複数おり、ほぼ好ましい写真が得られることが検証できた。
（３）３５≦Ｌ＊≦５０においてΔＬ＊が０．９〜２．５倍の範囲外、又は６５≦Ｌ＊≦８０においてΔＬ＊が０．２〜０．９倍の範囲外の少なくとも一方（図５のＮＯ.１、２、６、７）に該当した画像については、「×」と評価する者が多く、好ましい写真が得られないことが検証できた。
【００４７】
以上説明したように、本発明に係る画像処理装置１によれば、撮影により得られた画像データにコントラスト特性変換処理を施して、画像の中低明度領域（３５≦Ｌ＊≦５０）において入力における明度Ｌ＊の変化量に対する出力における明度Ｌ＊の変化量が０．９〜２．５倍、かつ、画像の中高明度領域（６５≦Ｌ＊≦８０）において入力における明度Ｌ＊の変化量に対する出力における明度Ｌ＊の変化量が０．２〜０．９倍となるように変換する。
【００４８】
従って、証明写真の顔画像の中低明度領域で、画像を忠実に再現しすぎてディテールがはっきり出すぎるといったことがなくなり、ディテールが適度に抑えられ、適正なメリハリのついた、証明写真として好ましい画像とすることができる。また、顔画像のハイライト部分の色とびや色のつぶれのない画像を提供することができる。
【００４９】
なお、上記実施の形態における記述内容は、本発明に係る画像処理装置１の好適な一例であり、これに限定されるものではない。
例えば、上記実施の形態においては、入力画像データの全ての色域に対して、同じコントラスト特性となるように変換することとしたが、上述のコントラスト特性は、特に、顔画像に対して適正なコントラストに変換するものであるので、顔領域以外の領域、即ち、肌色の色域を表すＲ、Ｇ、Ｂ値の組み合わせ以外の背景領域においては、もとの画像のコントラストを忠実に色再現を行ってもよいし、背景領域について好ましいコントラストとなるような変換を行っても良い。
【００５０】
その他、本実施の形態における画像処理装置１の細部構成、及び細部動作に関しても、本発明の趣旨を逸脱することのない範囲で適宜変更可能である。
【図面の簡単な説明】
【００５１】
【図１】本発明に係る画像処理装置１の外観を示す図である。
【図２】図１の画像処理装置１の機能的構成を示すブロック図である。
【図３】図２の制御部１１により実行される顔画像撮影処理を示すフローチャートである。
【図４】Ｌ１は、３Ｄ−ＬＵＴ１６１による変換前（入力）の明度Ｌ＊値と変換後（出力）の明度Ｌ＊値との関係を示す図であり、Ｌ０は、入力画像に忠実に明度を再現した場合の入力と出力の関係を示す図である。
【図５】証明写真の目視評価結果を示す図である。
【符号の説明】
【００５２】
１  画像処理装置
１１  制御部
１２  カメラ
１３  検知センサ
１４  入力装置
１５  表示装置
１６  記憶部
１６１  ３Ｄ−ＬＵＴ
１７  プリンタ
２１  Ｉ／Ｏユニット
２２  スピーカ
２３  キャッシャー
２４  ストロボユニット
２４ａ〜２４ｆ  ストロボ
【図１】
2006109313.tif 000003
【図２】
2006109313.tif 000004
【図３】
2006109313.tif 000005
【図４】
2006109313.tif 000006
【図５】
2006109313.tif 000007